(57)【要約】【課題】軽量且つ高強度で安全性に優れる釣り用仕掛け投入器を提供する。また、釣針との摩擦が少なく耐摩耗性、耐候性及び耐久性に優れ、且つ生産性に優れる釣り用仕掛け投入器を提供する。【解決手段】一端（１０ａ）が開口して他端（１０ｂ）が閉塞される複数のパイプ１０と、パイプ１０を並列に配設して接続する接続部材２０と、を有し、パイプの一端（１０ａ）には、端部１０ａの縁を折り返して形成される折返部１２が設けられる。これにより、パイプ１０の開口する端部１０ａの剛性を高めて変形を抑えることができ、パイプ１０の軽量化を図ることができる。また、パイプ１０の端部１０ａによる釣糸や手指の損傷を防止することができる。また、金属材料を用いることにより、パイプと釣針との摩擦を減らし、パイプの耐摩耗性、耐候性及び耐久性を向上させることができる。【選択図】図３
2016007156.tif 000002
【特許請求の範囲】
【請求項１】
一端が開口して他端が閉塞される複数のパイプと、
前記パイプを並列に配設して接続する接続部材と、を有し、
前記パイプの前記一端には、その端部の縁を折り返して形成される折返部が設けられることを特徴とする釣り用仕掛け投入器。
【請求項２】
前記折返部は、前記一端の端部を縁の全周に亘って外側に折り返して形成されることを特徴とする請求項１に記載の釣り用仕掛け投入器。
【請求項３】
前記折返部は、折り返した内部に中空部を形成するようカール状に曲げて形成されることを特徴とする請求項１または請求項２に記載の釣り用仕掛け投入器。
【請求項４】
前記一端は、その端部に向かって開口面積が大きくなるようテーパ状に形成されることを特徴とする請求項１ないし請求項３の何れか１項に記載の釣り用仕掛け投入器。
【請求項５】
前記接続部材は、板状体から曲折形成され、前記パイプと直交する方向に延在する凹溝部を有することを特徴とする請求項１ないし請求項４の何れか１項に記載の釣り用仕掛け投入器。
【請求項６】
前記パイプの側面には、半径方向外側に向かって環状に膨出する環状凸部が形成されることを特徴とする請求項１ないし請求項５の何れか１項に記載の釣り用仕掛け投入器。
【請求項７】
前記パイプは、金属製であることを特徴とする請求項１ないし請求項６の何れか１項に記載の釣り用仕掛け投入器。
【発明の詳細な説明】
【技術分野】
【０００１】
本発明は、釣り用仕掛け投入器に関し、特に、仕掛けを収納するための複数のパイプを並列に配置した釣り用仕掛け投入器に関する。
【背景技術】
【０００２】
一般に、釣り用の仕掛けとして、複数の釣針を備えたものがある。例えば、イカ釣り用の仕掛けでは、１本の幹糸に所定間隔で結び付けられる複数の枝糸を有し、それら枝糸の先端には、各々イカヅノ（烏賊角）と呼ばれる釣針（疑似餌針）が取り付けられている。
【０００３】
従来、この種の釣り用仕掛けに用いられる釣り用仕掛け投入器として、複数のパイプを並列に並べて配置し、各パイプに各釣針を夫々収納するものが知られている（例えば、特許文献１ないし特許文献３）。
【０００４】
具体的には、この種の釣り用仕掛け投入器は、一端が開口する複数のパイプを、その開口する端部を同じ向きに揃えて並列に配置し、接続部材によって各々のパイプを連結することにより構成されている。
【０００５】
この釣り用仕掛け投入器を使用する際には、開口する端部を上方に向けて船縁等に配置し、各パイプに仕掛けの釣針を順次挿入する。そして、仕掛けに結ばれた錘を海に投入することにより、落下する錘と幹糸に引かれて各パイプから釣針が順次引き出されて、海中に投入される。これにより、仕掛けの絡みを防止して効率良く仕掛けの投入及び回収を行うことができる。
【０００６】
釣針を収納するパイプとしては、例えば、特許文献１に記載されているように、ＡＢＳ樹脂等の合成樹脂製のパイプや、例えば、特許文献２に記載されているように、アルミニウム製のパイプ等が利用されている。また、特許文献３には、塩化ビニル樹脂等の合成樹脂製の外筒の内部に、ステンレス鋼製等の金属薄板を円筒状に丸めた内筒を挿入した収納筒が開示されている。
【先行技術文献】
【特許文献】
【０００７】
【特許文献１】特開２０１０−４８５８号公報（第３−４頁、第２図）
【特許文献２】特開２００５−２３７２１６号公報（第５−６頁、第１図）
【特許文献３】実開平６−３８５４５号公報（第４−５頁、第１図）
【発明の概要】
【発明が解決しようとする課題】
【０００８】
上記した従来技術の仕掛け投入器では、携帯性を高めるために、更なる軽量化を図ることが望まれている。しかしながら、パイプを軽くするために、その厚みを薄くすると、強度が低下して変形や割れ等が発生し易くなり、耐久性が低下するという問題点がある。
また、パイプを薄くすることにより、開口する端部の縁が薄く鋭利になり易いので、その縁で釣糸や手指を損傷する恐れもある。
【０００９】
また、特許文献１に開示された従来技術のように、合成樹脂製のパイプを用いる仕掛け投入器では、釣針によってパイプの内部が傷つき易いという問題点があった。また、パイプとの摩擦によって釣針の樹脂部分（疑似餌の部分）や釣糸が損傷し易い。更に、合成樹脂製のパイプは、金属製のパイプに比べると、耐候性、耐久性が劣るとう問題点もある。
【００１０】
また、特許文献２に開示された従来技術のように、アルミニウム製のパイプを採用すると、樹脂製品に比べて重たくなるという問題点があった。アルミニウムに代えてステンレス鋼等を採用する場合には、製品の重量が更に増すことになる。また、アルミニウム製のパイプは、製造コストが高くなるという問題点もある。
【００１１】
また、特許文献３に開示された従来技術のように、合成樹脂製の外筒の内部に金属製の薄板からなる内筒を挿入して形成される複合式のパイプでは、部品数が多くなり、内筒挿入の工程が必要であるため、生産性が良くない。また、外筒が合成樹脂製であるので、耐候性、耐久性についての問題点もある。
【００１２】
本発明は、上記の事情に鑑みてなされたものであり、その目的とするところは、軽量且つ高強度で安全性に優れる釣り用仕掛け投入器を提供することにある。
また、本発明の他の目的は、釣針との摩擦が少なく耐摩耗性、耐候性及び耐久性に優れ、且つ生産性に優れる釣り用仕掛け投入器を提供することにある。
【課題を解決するための手段】
【００１３】
本発明の釣り用仕掛け投入器は、一端が開口して他端が閉塞される複数のパイプと、前記パイプを並列に配設して接続する接続部材と、を有し、前記パイプの前記一端には、その端部の縁を折り返して形成される折返部が設けられることを特徴とする。
【発明の効果】
【００１４】
本発明の釣り用仕掛け投入器によれば、パイプの開口する端部には、その縁を全周に亘って折り返した折返部が形成されている。これにより、パイプの開口する端部の剛性を高めて変形を抑えることができるので、パイプを薄肉化して、その強度を確保しつつ軽量化を図ることができる。
【００１５】
また、開口する端部に折返部を形成することにより、薄肉化されるパイプ素材の鋭利な端面に釣糸や手指が直接的に接触することを抑制し、釣糸や手指の損傷を防止することができる。
【００１６】
また、パイプの縁を外側に折り返すように折返部を形成することにより、折り返したパイプの端面近傍と釣針若しくは釣糸との接触を防止することができる。これにより、仕掛けの挿入及び送り出しがスムーズに行えるようになると共に、釣糸の損傷を抑えることができる。
【００１７】
また、折返部を、その内部に中空部を形成するようカール状に曲げて形成することにより、パイプ端部の強度を向上させる効果と、釣糸の損傷を抑制する効果を更に高めることができる。
【００１８】
また、パイプの開口する端部近傍を、その端部方向に向かって開口面積が大きくなるようテーパ状に形成しても良い。これにより、パイプの開口面積を大きく確保して釣針の挿入を容易に行えるようにしつつ、パイプのその他の部分の径を小さくして更なる軽量化を図ることができる。
【００１９】
また、パイプを接続する接続部材を板状の素材から曲折形成し、パイプと直交する方向に延在する凹溝部を形成しても良い。これにより、接続部材の剛性を高めると共に軽量化を図ることができる。
【００２０】
また、接続部材に凹溝部を形成することにより、凹溝部とパイプとの間に形成される隙間に紐等を通して、釣り用仕掛け投入器を船縁等に固定することができる。即ち、接続部材は、固定用の紐等を係合するため固定用部材としての機能を兼ねることができる。これにより、固定用の金具等を別途設ける必要がなくなるので、部品数の増加による重量及び生産コストの増大を抑えることができる。
【００２１】
また、パイプの側面に、半径方向外側に向かって環状に膨出する環状凸部を形成しても良い。これにより、パイプの剛性を高めて潰れ変形を抑制することができるので、パイプを薄くして、更なる軽量化を図ることができる。
【００２２】
また、上記構成を採用して軽量化を図ることにより、パイプ素材として金属材料を用いても重量の増加を抑えることができる。金属材料を用いることにより、パイプと釣針との摩擦を減らし、パイプの耐摩耗性、耐候性及び耐久性を向上させることができる。
【図面の簡単な説明】
【００２３】
【図１】本発明の実施形態に係る釣り用仕掛け投入器の透視図である。
【図２】本発明の実施形態に係る釣り用仕掛け投入器の背面図である。
【図３】本発明の実施形態に係る釣り用仕掛け投入器のパイプの上端部近傍を示す（Ａ）拡大断面図（図２に示すＡ部詳細断面図）、（Ｂ）折返部近傍の拡大断面図（図３（Ａ）に示すＥ部詳細図）である。
【図４】本発明の実施形態に係る釣り用仕掛け投入器のパイプの下端部近傍を示す拡大分解断面図（図２に示すＢ部詳細分解断面図）である。
【図５】本発明の実施形態に係る釣り用仕掛け投入器の接続部材近傍を示す側面図（図２に示すＣ矢視図）である。
【図６】本発明の実施形態に係る釣り用仕掛け投入器の補強部材近傍を示す断面図（図２に示すＤ−Ｄ線断面図）である。
【図７】本発明の他の実施形態に係る釣り用仕掛け投入器のパイプを示す（Ａ）正面図、（Ｂ）環状凸部近傍の拡大断面図（図７（Ａ）に示すＦ部詳細断面図）である。
【発明を実施するための形態】
【００２４】
以下、本発明の実施形態に係る釣り用仕掛け投入器を図面に基づき詳細に説明する。
図１は、本発明の実施形態に係る釣り用仕掛け投入器１を正面左斜め上から見た透視図である。ここで、正面とは、釣り用仕掛け投入器１を使用する際に、使用者側を向く面である。
【００２５】
図１に示すように、釣り用仕掛け投入器１は、例えば、イカ釣り等、複数の釣針５３（イカヅノ）を有する仕掛け５０を用いた釣りに使用するものである。釣り用仕掛け投入器１は、並列に配設される複数のパイプ１０と、各パイプ１０を接続する接続部材２０と、を有する。
【００２６】
パイプ１０は、一端、即ち使用時に上側になる端部１０ａが開口（開口部１１）し、他端、即ち下側になる端部１０ｂがキャップ１７によって閉塞されている。パイプ１０は、開口部１１が形成される端部１０ａが同一の方向を向くように並列に配設されて、接続部材２０によって、各々接続され、一体的に組み立てられる。
【００２７】
釣り用仕掛け投入器１は、開口部１１を上方に向け、船縁５５等に立て掛けられ、紐５６（例えば、フック等を有するゴム紐等）で固定されて使用される。
具体的な使用方法は、仕掛け５０をセットする際には、１本の幹糸５１に枝糸５２を介して接続されている複数の釣針５３を、夫々のパイプ１０に、開口部１１から順次挿入する。そして、幹糸５１の末端に接続されている錘５４を海に向かって投入することにより、パイプ１０に収納された各々の釣針５３が、幹糸５１及び枝糸５２を介して錘５４に引かれて順次パイプ１０の外に引き出されて、海中に投入される。
【００２８】
パイプ１０は、例えば、ステンレス製のパイプであり、ステンレス薄鋼板を略円筒状にロール成形して継目を溶接することにより成形される。ステンレス製のパイプを採用することにより、優れた耐摩耗性、耐候性及び耐久性が得られる。また、釣針５３との摩擦を減らすことができ、釣針５３や釣糸（幹糸５１及び枝糸５２）の損傷を抑えることができる。
【００２９】
また、パイプ１０の開口する端部１０ａには、端部１０ａの縁を全周に亘って外側に折り返して形成される折返部１２が形成されている。これにより、端部１０ａの強度を高めることができ、パイプ１０の薄肉化を図ることができる。
【００３０】
図２は、釣り用仕掛け投入器１の背面図であり、釣り用仕掛け投入器１の背面、即ち、船縁５５（図１参照）に立て掛けられる側を表している。
図２に示すように、接続部材２０は、釣り用仕掛け投入器１の正面側の上下２カ所（図１参照）、及び背面側の上部に設けられる。これにより、パイプ１０を強固に結合することができる。接続部材２０は、ステンレス製の薄板を曲折することにより成形され、溶接等によってパイプ１０に接合される。
【００３１】
釣り用仕掛け投入器１の背面には、補強部材２５が設けられる。補強部材２５は、ステンレス製の薄板を曲折することにより成形される略板状の部材である。補強部材２５は、船縁５５との接触部近傍、即ち釣り用仕掛け投入器１の背面の上部に設けられ、パイプ１０を覆うように溶接等によってパイプ１０に接合される。これにより、パイプ１０が船縁５５に押圧されて凹むことを防止できる。
【００３２】
図３（Ａ）は、釣り用仕掛け投入器１のパイプ１０の上端部（端部１０ａ）近傍を示す拡大断面図であり、図２に示すＡ部詳細断面を示している。図３（Ｂ）は、折返部１２近傍の拡大断面図であり、図３（Ａ）に示すＥ部詳細図である。
【００３３】
図３（Ａ）に示すように、パイプ１０の端部１０ａには、その縁を外側に折り返した折返部１２が形成される。これにより、パイプ１０の開口する端部１０ａ近傍の剛性を高めて、変形を抑えることができる。
【００３４】
図３（Ｂ）に示すように、折返部１２は、折り返した内部に中空部１４を形成するようカール状に曲げて形成される。これにより、端部１０ａ近傍の強度を更に向上させることができる。
【００３５】
また、端部１０ａの縁を外側に折り返すことにより、釣糸５１、５２（図１参照）とパイプ素材の端面１３との接触を防止することができる。これにより、仕掛けの挿入及び送り出しがスムーズに行えるようになると共に、仕掛け５０（図１参照）の損傷を防止することができる。
【００３６】
特に、折返部１２をカール状に曲げることにより、パイプ素材の端面１３の露出を抑えることができるので、パイプ素材の端面１３に釣糸や手指が直接的に接触することを防止し、釣糸や手指の損傷を防止することができる。
【００３７】
このように、パイプ１０の端部１０ａに折返部１２を形成し、強度を向上させると共に安全性を確保することにより、パイプ１０を薄くして軽量化を図ることができる。例えば、本実施形態では、パイプ１０の厚みを０．３ｍｍから０．５ｍｍ程度にしている。パイプ１０をステンレス製として耐摩耗性や耐候性を向上させつつ、従来の合成樹脂製のパイプと同等の重さに抑えることができる。
【００３８】
なお、前述の通り、パイプ１０の端部１０ａの強度を向上させ、且つ釣糸の損傷を抑制する観点から、折返部１２は、カール状に曲げて形成されることが望ましい。しかしながら、端部１０ａの縁を単に略１８０度折り返す、いわゆるヘミング加工によって折返部１２を形成しても良い。ヘミング加工によっても、端部１０ａ近傍の剛性を高めると共に安全性を高める効果が得られる。
【００３９】
また、図３（Ａ）に示すように、パイプ１０の開口する端部１０ａは、その開口部１１に向かって開口面積が大きくなるようテーパ状に形成される。即ち、開口部１１の内径Ｄ２は、パイプ１０の内径Ｄ１よりも大きい。
【００４０】
このように、パイプ１０の端部１０ａをテーパ状に形成して開口部１１を広くすることにより、釣針５３（図１参照）の挿入が容易になる。特に、巻き癖がついた釣糸であっても、開口部１１の縁への引っ掛かりが少なく、容易にパイプ１０の内部へ挿入することができる。また、開口部１１近傍のみを広くして挿入性を確保しつつ、パイプ１０のその他の部分の径（Ｄ１）を小さくできるので、更なる軽量化を図ることができる。
【００４１】
また、テーパ状に拡径されたパイプ１０の端部１０ａは、隣接するパイプ１０の端部１０ａと互いに当接する。詳しくは、隣接するパイプ１０は、折返部１２の半径方向外側面が互いに当接する。これにより、パイプ１０とその隣のパイプ１０との間隙に釣糸５１、５２が入り込むことを防止して、釣糸５１、５２の絡みを減らすことができる。
【００４２】
図４は、釣り用仕掛け投入器１のパイプ１０の下端部（端部１０ｂ）近傍を示す拡大分解断面図であり、図２に鎖線円で示すＢ部について、キャップ１７を取り外した状態を断面で表している。
【００４３】
図４に示すように、パイプ１０の下端部（端部１０ｂ）には、キャップ１７が着脱自在に取り付けられ、端部１０ｂの開口は、キャップ１７によって塞がれる。これにより、円筒状のパイプ１０に底部が形成され、パイプ１０は、釣針５３（図１参照）を収納するための容器として機能する。
【００４４】
尚、キャップ１７には、水抜き用の孔１９が形成されているので、端部１０ｂの開口は、完全に密閉される訳ではない。キャップ１７に孔１９を形成することにより、パイプ１０の内部に侵入した水を、孔１９を通じてパイプ１０の外部に排出することができる。
【００４５】
キャップ１７は、弾性体、例えば、ゴム材料等から成形されている。パイプ１０の下を向く端部１０ｂにキャップ１７を取り付けることにより、パイプ１０の端部１０ｂで甲板を傷つけてしまうことを防止できる。また、キャップ１７をゴム製にすることにより、パイプ１０の端部１０ｂと甲板との滑りを抑えることもできる。
【００４６】
キャップ１７は、着脱自在に取り付けられているので、パイプ１０の内部を清浄する際等には、キャップ１７を取り外すことができる。これにより、パイプ１０の内部を容易に清浄することができる。また、経年劣化等によりキャップ１７が破損した場合には、新しい部品と交換することができる。
【００４７】
ここで、パイプ１０の端部１０ｂの近傍には、パイプ１０の側面から環状に外側に向かって断面略円弧状に膨出する凸部１６（ビード）が形成される。凸部１６は、例えば、パイプ１０の内部に挿入される弾性加圧体を成形型で狭圧して半径方向外側に膨出させることによりパイプ１０を内面から押圧して成形することができる。
【００４８】
このように、パイプ１０の下側の端部１０ｂ近傍に環状の凸部１６を形成することにより、端部１０ｂ近傍の剛性を高めて、変形を抑えることができる。また、凸部１６が抜け止めとして機能し、キャップ１７が外れ落ちることを防止できる。
【００４９】
また、キャップ１７の内面には、内側に向かって環状に突出する凸部１８が形成されている。これにより、凸部１８が抜け止めとして機能し、キャップ１７をより強固に嵌合させることができる。
【００５０】
また、パイプ１０の端部１０ｂには、その縁を全周に亘って外側に折り返した下折返部１５が形成されている。下折返部１５を形成することにより、端部１０ｂ近傍の強度を上げることができる。また、下折返部１５を設けることにより、キャップ１７を外した際の手指の損傷を防止することができる。
【００５１】
図５は、釣り用仕掛け投入器１の接続部材２０近傍を示す側面図であり、図２に示すＣ矢視を表している。
図５に示すように、パイプ１０を連結する接続部材２０には、パイプ１０に対して反対側に膨出するよう凹溝部２１が形成されている。
【００５２】
具体的には、接続部材２０は、ステンレス製の板状素材から曲折形成され、パイプ１０と直交する方向、即ち略水平方向に延在する部材である。接続部材２０は、パイプ１０に対して反対側に突設される横断面略Ｖ字形状（横向きのＶ字）の凹溝部２１と、凹溝部２１の上下両端部から連続して上方若しくは下方に略垂直に曲折形成されるフランジ部２２と、を有する。尚、凹溝部２１の横断面形状としては、前述した略Ｖ字形状の他、例えば、略Ｕ字形状等、その他の形状を採用することも可能である。
【００５３】
凹溝部２１の上下両端部に形成されるフランジ部２２は、パイプ１０に当接し、溶接等によって接合される。これにより、並列に配設される各パイプ１０が強固に連結されると共に、接続部材２０の凹溝部２１とパイプ１０との間に隙間が形成される。
【００５４】
このように、接続部材２０に凹溝部２１を形成することにより、接続部材２０の曲げ剛性を高めることができ、その結果、接続部材２０を薄くして軽量化を図ることができる。例えば、本実施形態では、接続部材２０の厚みを約０．８ｍｍとしている。このように薄い板材から形成しても、接続部材２０は、その使用に耐えうる十分な強度を発揮することができる。
【００５５】
また、接続部材２０に凹溝部２１を形成することにより、凹溝部２１とパイプ１０との間に形成される隙間に紐５６等を通して、釣り用仕掛け投入器１を船縁５５（図１参照）等に固定することができる。即ち、接続部材２０は、固定用の紐５６等を係合するため固定用部材としての機能を兼ねることができる。これにより、固定用の金具等を別途設ける必要がなくなるので、部品数の増加による重量及び生産コストの増大を抑えることができる。
【００５６】
図６は、釣り用仕掛け投入器１の補強部材２５近傍を示す断面図であり、図２に示すＤ−Ｄ線断面を表している。
図６に示すように、釣り用仕掛け投入器１の背面には、ステンレス製の薄板から曲折形成される略板状の補強部材２５が設けられ、補強部材２５には、パイプ１０と略平行に延在する複数の凹溝部２６が形成されている。
【００５７】
具体的には、凹溝部２６は、補強部材２５からパイプ１０の方向、即ち正面側に突設される横断面略Ｖ字形状の形態を成し、パイプ１０と略平行な方向、即ち上下方向に延在する。凹溝部２６は、各々隣接するパイプ１０の略中間位置に配設され、パイプ１０の配置間隔と同等の間隔をおいて複数個形成される。尚、凹溝部２６の横断面形状は、例えば、略Ｕ字形状等、その他の形状でも良い。
【００５８】
補強部材２５を設けることにより、パイプ１０が船縁５５（図１参照）に押圧されて凹むことを防止できる。特に、補強部材２５に凹溝部２６を形成することにより、補強部材２５の剛性を高めることができる。これにより、補強部材２５の軽量化を図ることができ、補強部材２５を薄い板材（例えば、厚み約０．５ｍｍ）から成形してもパイプ１０の変形を抑止するための十分な効果を得ることができる。
【００５９】
尚、補強部材２５が設けられる釣り用仕掛け投入器１の上部近傍に、補強部材２５を含むパイプ１０全体を取り囲むように、合成繊維の織布等から成る略帯状のマット部材（図示せず）を巻き付けても良い。これにより、釣り用仕掛け投入器１と船縁５５との接触部における衝撃を吸収することができる。
【００６０】
また、前記マット部材を、釣針５３（図１参照）を一時的に引っ掛けて保持するために利用しても良い。これにより、魚（イカ等）を釣り上げる際に、仕掛け５０（図１参照）の絡みを抑えつつ素早く回収して、釣魚（イカ等）をばらさずに取り込むことができる。
【００６１】
次に、図７（Ａ）及び（Ｂ）を参照して、実施形態を変形した例として、釣り用仕掛け投入器１０１について詳細に説明する。尚、既に説明した実施形態と同一若しくは同様の作用、効果を奏する構成要素については、同一の符号を付し、その説明を省略する。
【００６２】
図７（Ａ）は、本発明の他の実施形態に係る釣り用仕掛け投入器１０１のパイプ１１０を示す正面図である。図７（Ｂ）は、環状凸部１１６近傍の拡大断面図であり、図７（Ａ）に示すＦ部詳細図である。
【００６３】
図７（Ａ）に示すように、釣り用仕掛け投入器１０１のパイプ１１０には、延在方向に所定の間隔をおいて複数の環状凸部１１６（ビード）が形成されている。図７（Ｂ）に示すように、環状凸部１１６は、パイプ１１０の側面から環状に、且つ外側に向かって断面略円弧状に膨出している。環状凸部１１６は、例えば、パイプ１１０の内部に挿入される弾性加圧体を成形型で狭圧して半径方向外側に膨出させてパイプ１１０を押圧することにより成形することができる。
【００６４】
このように、パイプ１１０に所定の間隔で環状凸部１１６を形成することにより、パイプ１１０の剛性を高めて、潰れ変形を抑制することができる。換言すれば、環状凸部１１６を形成することにより、パイプ１１０の剛性を高めることができるので、パイプ１１０の厚みを更に薄くして（例えば、厚み約０．３ｍｍ）、軽量化を図ることができる。
【００６５】
以上、本実施形態では、パイプ１０（及びパイプ１１０）の材質としてステンレス鋼を採用する例について説明した。前述の通り、ステンレス製のパイプ１０は、釣針５３（図１参照）との摩擦が少なく釣針や釣糸５１、５２（図１参照）の損傷を抑えることができ、耐摩耗性、耐候性、耐久性に優れている。
【００６６】
しかしながら、パイプ１０等の材質としては、ステンレス鋼に限定されるものではない。例えば、パイプ１０等の素材として、アルミニウム鋼板、亜鉛メッキ鋼板、塗装鋼板等のその他の金属材料や、合成樹脂等を採用することができる。その場合においても、折返部１２、下折返部１５、凸部１６、環状凸部１１６等を設けることにより、パイプ１０等の強度を向上させることができ、釣り用仕掛け投入器１の軽量化を図ることができる。
【００６７】
また、折返部１２、凸部１６等が形成された本実施形態に係るパイプ１０を、互いに着脱自在に係合し得る、若しくは互いに回動可能に係脱し得る接続部材を用いて相互に連結しても良い。
【００６８】
また、内径の異なる２つ以上のパイプを用いて、内径の大きいパイプの内側に内径の小さいパイプを摺動自在に順次嵌合することにより、パイプ１０全体を伸縮自在に構成しても良い。この場合、嵌合部における大径側のパイプの端部にも折返部１２と同様の折り返し構造を形成しても良い。これにより、パイプの剛性を高めて軽量化を図ることができると共に、安全性を高めることができる。
【００６９】
尚、本発明は、上記実施形態に限定されるものではなく、その他、本発明の要旨を逸脱しない範囲で、種々の変更実施が可能である。
【符号の説明】
【００７０】
１        釣り用仕掛け投入器
１０      パイプ
１０ａ    端部（上端部）
１０ｂ    端部（下端部）
１１      開口部
１２      折返部
１３      端面
１４      中空部
１５      下折返部
１６      凸部
１７      キャップ
１８      凸部
２０      接続部材
２１      凹溝部
２５      補強部材
２６      凹溝部
１０１    釣り用仕掛け投入器
１１０    パイプ
１１６    環状凸部
【図１】
2016007156.tif 000003
【図２】
2016007156.tif 000004
【図３】
2016007156.tif 000005
【図４】
2016007156.tif 000006
【図５】
2016007156.tif 000007
【図６】
2016007156.tif 000008
【図７】
2016007156.tif 000009